(57)【要約】【課題】低温環境下で、ランプとヘッドの摺動部における摺動抵抗を低減し、ランプの摩耗量を低減して、車載機器としてより良好なディスク装置用ランプとこれを用いたディスク装置及び磁気ディスク装置を提供することにある。【解決手段】ディスク装置に用いられるランプ７を形成する材料として、主成分として環境温度が２５℃から８０℃においてＡＳＴＭ　Ｄ６３８による引張り伸びが３０％以上７０％以下の材料、例えばポリアセタール樹脂とし、これに添加剤としてワックス、特にウレタン型ワックスを含ませることで極低温下でもディスク装置内のランプの摩耗量を減らすことが可能となり、車載機器として信頼性の高いディスク装置及び磁気ディスク装置を提供することが可能となる。【選択図】　　　図１
2004079109.tif 000002
【特許請求の範囲】
【請求項１】
非動作時に、再生ヘッドをディスク媒体の外側に退避させるためのディスク装置用ランプにおいて、主成分として環境温度が２５℃から８０℃においてＡＳＴＭ　Ｄ６３８による引張り伸びが３０％以上７０％以下の材料を含み、添加剤としてワックスを含むことを特徴とするディスク装置用ランプ。
【請求項２】
前記材料はポリアセタール樹脂である請求項１記載のディスク装置用ランプ。
【請求項３】
前記添加剤はウレタン型ワックスである請求項１記載のディスク装置用ランプ。
【請求項４】
前記添加剤はカルナバワックス、ライスワックス等の天然ワックスである請求項１記載のディスク装置用ランプ。
【請求項５】
前記添加剤はポリオレフィンワックス、酸化ポリオレフィンワックス、フィッシャートロプシュワックス等の合成ワックスである請求項１記載のディスク装置用ランプ。
【請求項６】
前記添加剤はパラフィンワックス、マイクロクリスタリンワックス等の石油ワックスである請求項１記載のディスク装置用ランプ。
【請求項７】
ディスク媒体と、当該ディスク媒体から情報を再生する再生素子を搭載したヘッドと、非動作時に前記ヘッドを前記ディスク媒体の外側に退避させるためのランプとを具備し、前記ランプは、環境温度が２５℃〜８０℃においてＡＳＴＭ　Ｄ６３８による引張り伸びが３０％以上７０％以下である材料に添加剤としてワックスを含むことを特徴とするディスク装置。
【請求項８】
前記材料はポリアセタール樹脂である請求項７記載のディスク装置。
【請求項９】
前記添加剤はウレタン型ワックスである請求項７記載のディスク装置。
【発明の詳細な説明】
【０００１】
【発明の属する技術分野】
本発明は、ロード／アンロード方式のディスク装置用ランプとこれを用いたディスク装置及び磁気ディスク装置に関する。
【０００２】
【従来の技術】
情報記録再生装置のひとつである磁気ディスク装置は、主にパーソナルコンピュータに使用されてきたが、最近では、その使用範囲が拡大し、オーディオビジュアル機器（ＡＶ機器）やカーナビゲーションなどの車載機器として使用されるようになってきた。磁気ディスク装置を車載機器に使用する場合には、パーソナルコンピュータにおいて使用する場合に比べ、かなり厳しい使用環境条件のもとで使用されることが想定され、その使用温度範囲は通常のパーソナルコンピュータの使用温度範囲より広く、マイナス２０℃から８０℃の環境温度下での動作を求められると想定される。このため、今まで以上にこの厳しい使用環境条件の下、特に使用温度範囲内における磁気ディスク装置の動作の信頼性向上の対策が必要となってきた。特に、非記録再生時にヘッドをディスクの外側に退避させるロード／アンロード方式の磁気ディスク装置では、退避時にヘッドを保持するランプとヘッドが摺動するため摩擦が発生する。この摩擦によって主に金属で形成されるタブと樹脂材料により形成されるランプの摩耗が起こりやすく、この摩擦は特に低温時に起こりやすいことがわかってきた。
【０００３】
ヘッドとランプの摩擦によるランプの摩耗対策は、過去に幾つか提案されてきている。特開平１０−３１２６５７号には、支持部を熱可塑性ポリイミド（オーラム）で形成し、摺動部をポリテトラフルオロエチレン（ＰＴＦＥ）含有液晶ポリマー（ベクトラ）で形成したランプが開示され、ランプ部材にＰＴＦＥを含有させることで摺動特性を向上させることを狙っている。また、特開平１０−３０２４２１号には、タブ及びランプの摺動面に乾燥潤滑皮膜（四フッ化エチレン樹脂、イミド系樹脂等）を形成することが開示され、ランプの摩耗を抑えることで摩擦係数の変化を小さくしようとすることを狙っている。
【０００４】
しかし、上述のように、磁気ディスク装置を車載機器として使用する場合、マイナス２０℃以下の環境下でも安定した動作が必要となるが、現状のランプ部材ではマイナス２０℃の環境下では、摩耗粉の発生量が多くなるという問題が明らかになってきた。
【０００５】
磁気ディスク装置内にこのような摩耗粉が発生すると、これらがヘッドのスライダー面に付着して、磁気ディスクに記録されたデータの読み書きが正常に行えなくなったり、ヘッドや磁気ディスクが損傷したりする可能性もあるため、摩耗粉の発生は極力抑制する必要がある。
【０００６】
【発明が解決しようとする課題】
本発明は上記の事情を鑑みなされたもので、マイナス２０℃以下という低温環境下で、ランプとヘッドの摺動部における摺動抵抗およびそのばらつきを低減し、ランプの摩耗量を低減することで、車載機器としてより良好なディスク装置用ランプとこれを用いたディスク装置及び磁気ディスク装置を提供することを目的とする。
【０００７】
【課題を解決するための手段】
本発明のディスク装置用ランプは、非動作時に、再生ヘッドをディスク媒体の外側に退避させるためのディスク装置用ランプにおいて、主成分として環境温度が２５℃から８０℃においてＡＳＴＭ　Ｄ６３８による引張り伸びが３０％以上７０％以下の材料を含み、添加剤としてワックスを含むことを特徴とするものである。
【０００８】
また、本発明のディスク装置は、ディスク媒体と、当該ディスク媒体から情報を再生する再生素子を搭載したヘッドと、非動作時に前記ヘッドを前記ディスク媒体の外側に退避させるためのランプとを具備し、前記ランプは、環境温度が２５℃から８０℃においてＡＳＴＭ　Ｄ６３８による引張り伸びが３０％以上７０％以下である材料に添加剤としてワックスを含むことを特徴とするものである。
【０００９】
このように、ディスク装置に用いられるランプを形成する材料として、主成分として環境温度が２５℃から８０℃においてＡＳＴＭ　Ｄ６３８による引張り伸びが３０％以上７０％以下の材料、例えばポリアセタール樹脂を含み、添加剤としてワックス、特にウレタン型ワックスを含む用にすることで、マイナス２０℃以下の極低温下でもディスク装置内のランプの摩耗量を減らすことが可能となり、車載機器として信頼性の高いディスク装置及び磁気ディスク装置を提供することが可能となる。
【００１０】
【発明の実施の形態】
以下、図面を参照しながら、この発明をディスク装置として磁気ディスク装置であるハードディスクドライブに適用した実施の形態について詳細に説明する。
図１に示すように、磁気ディスク装置は、上面の開口した矩形箱状のケース１と、複数のネジによりケースにネジ止めされケースの上端開口を閉塞する図示しないトップカバーと、を有している。
【００１１】
ケース１内には、磁気記録媒体としての２枚の磁気ディスク２、この磁気ディスクを支持および回転させる駆動手段としてのスピンドルモータ３、磁気ディスクに対して情報の書き込み、読み出しを行なう複数の磁気ヘッド４、これらの磁気ヘッド４を磁気ディスク２に対して移動自在に支持したヘッドアクチュエータ５、ヘッドアクチュエータ５を回動および位置決めするボイスコイルモータ（以下ＶＣＭと称する）６、磁気ヘッド４が磁気ディスク２の最外周に移動した際、磁気ヘッド４を磁気ディスク２から離間した退避位置に保持するランプ７、衝撃等に対してヘッドアクチュエータ５を退避位置にラッチするイナーシャラッチ機構８、およびヘッドＩＣ９ａ等を有する基板ユニット９が収納されている。また、この基板ユニット９とヘッドアクチュエータ５の先端に搭載された磁気ヘッド４とはフレキシブル配線１０により電気的に接続され、信号のやり取りを行っている。
【００１２】
ヘッドアクチュエータ５は、磁気ヘッド４を支持し、当該磁気ヘッド４を磁気ディスク２に押し付ける力を発生するバネ性を有するサスペンション５ａ、このサスペンション５ａを支持する剛性の高いアーム５ｂ、サスペンション５ａの先端から突出し、ランプ７と接触摺動する接触部５ｃとを有している。
【００１３】
また、ケース１の底壁外面には、磁気ヘッド２により再生した信号を増幅するアンプ等を含むヘッドＩＣ９ａを搭載した基板ユニット９を介してスピンドルモータ３、ＶＣＭ６、および磁気ヘッド４の動作を制御する図示しないプリント回路基板がネジ止めされている。
【００１４】
各磁気ディスク２は、直径６５ｍｍ（２．５インチ）に形成され、上面および下面に磁気記録層を有している。そして、２枚の磁気ディスク２は、スピンドルモータ３の図示しないハブの外周に嵌合されているとともに、クランプばね１０によって固定保持されている。これにより、２枚の磁気ディスク２は所定の隙間を置いて互いに同軸的に積層配置されている。そして、スピンドルモータ３を駆動することにより、２枚の磁気ディスク２は一体的に所定の速度で回転される。
【００１５】
本発明は、ディスク媒体と、当該ディスク媒体から情報を再生する再生素子を搭載したヘッドと、非動作時に前記ヘッドを前記ディスク媒体の外側に退避させるためのランプとを具備し、前記ランプは、ＡＳＴＭ　Ｄ６３８による引張り伸びが３０％以上である材料に添加剤としてワックスを含むこものである。
【００１６】
引張り伸びは展性との相関のある特性で、引張り伸びが大きいと、展性も大きくなる。展性の大きい材料は、材料が圧力を受けたときに、材料の分子や原子の配列が変わるのみで、分子間原子間の破断が起こり難いために、材料が破壊されずに薄く延びやすい性質を有する。
【００１７】
本発明にて使用されるランプ７は、展性が大きいために、ヘッドアクチュエータ５の接触部５ｃとランプ７とが摺動する際に、ランプ７の接触部分の材料が接触しない部分に適度に逃げて変形し、接触部分の周囲に樹脂片を生じるため、樹脂がランプ７から削られ難くなり、摩耗の発生を防止することができる。
【００１８】
引張り伸びは好ましくは１００％以下であり、１００％を越えると、ランプ７の形状変形が大きすぎて、ヘッドアクチュエータ５の保持、摺動に実用上支障が出る場合があり、また、ランプ７をネジなどで固定している場合には、ネジがゆるみやすくなる傾向がある。
【００１９】
次に本発明の実施例に係るランプ材料と従来のランプ材料とを比較し、その効果について説明する。
本発明の実施例及び比較例は、先に述べたように、図１乃至図３に示すような磁気ディスク装置を用いて行った。磁気ディスク装置は、磁気ディスク２、磁気ヘッド４、この磁気ヘッド４を支えるサスペンション５ａ（ロードビームとも称する）、アーム５ｂ及び接触部５ｃからなるヘッドアクチュエータ５、ボイスコイルモーター６とその駆動回路、ヘッドＩＣ９ａを搭載した基板ユニット９、フレキシブル配線７からなる。
【００２０】
駆動回路にて制御されるボイスコイルモーター６の駆動により磁気ヘッド４は、退避領域であるランプ７上から磁気ディスク２上に移動するロード動作と、磁気ディスク２上から退避領域であるランプ７上に移動するアンロード動作が行われる。図２は磁気ヘッド４を磁気ディスク２上にロードした状態を示した図である。
【００２１】
上述のロード／アンロード動作時にヘッドアクチュエータ５の一部をなすサスペンション５ａの先端に設けられた接触部（別名タブとも称する）５ｃがランプ７上を摺動しながら移動する。サスペンション５ａの接触部（タブ）５ｃは、薄いステンレス等の金属をコインイングして表面を滑らかに処理されてできたおり、この接触部（タブ）５ｃがプラスチック等の樹脂製のランプ７の上を何度も摺動すると、ランプ７の方が接触部（タブ）５ｃよりもやわらかいため徐々に摩耗してゆく。ランプ７は低温において摩耗しやすく、特にマイナス２０℃以下の温度環境下においてその摩耗はより大きくなることがわかっている。
【００２２】
ランプ７が摩耗するとその表面に摩耗粉が発生し、このランプ７に摺動する接触部（タブ）５ｃに付着するようになる。この摩耗粉が磁気ヘッド４を磁気ディスク２上にロードする際に、磁気ディスク２上に落ちると、磁気ヘッド１４のこの磁気ヘッドを搭載して磁気ディスク２の表面との間に所定の浮上力を発生するよう浮上面形状が形成された図示しないスライダーの浮上面に付着することになる。スライダーの浮上面は、特殊な形状に加工されており、最近の磁気ディスク装置では、磁気ヘッド４の記録再生素子部分が磁気ディスク２に対して１０乃至２０ｎｍの距離を保ちながら磁気ヘッド４が磁気ディスク２上を浮上している。
【００２３】
すなわち、上述のようにスライダーの浮上面にランプ７から剥がれ落ちた摩耗粉がスライダに付着すると、その重さが変化することで磁気ヘッド４の磁気ディスク２に対する浮上量が変わってしまいデータの読み書きが正常に行われなくなったり、更には、磁気ヘッド４が磁気ディスク２に衝突して、磁気ディスク２あるは磁気ヘッド４が損傷してしまう、いわゆるヘッドクラッシュが発生することが考えられる。
【００２４】
本発明の実施形態において、ランプ７の耐摩耗性を挙げるために、ランプ７の材料をディスク装置に用いられるランプを形成する材料の主成分として環境温度が２５℃から８０℃においてＡＳＴＭ　Ｄ６３８による引張り伸びが３０％以上７０％以下の材料、例えば顔料（ＴｉＯ２）を約０．２ｗｔ％含むポリアセタール樹脂を用い、このポリアセタール樹脂に添加剤としてワックス、特にウレタン型ワックスを添加した。
【００２５】
磁気ディスク装置の使用環境温度は通常２５℃から８０℃であり、この環境温度下においてポリアセタール樹脂の引張り伸びは３０％以上７０％以下となっている。
このポリアセタール樹脂は摩耗が少なく、摺動抵抗も安定している。また、添加剤として用いるワックスとしては、カルナバワックス、ライスワックスなどの天然ワックス、ポリオレフィンワックス、酸化ポリオレフィンワックス、フィッシャートロプシュワックスなどの合成ワックス、パラフィンワックス、マイクロクリスタリンワックスなどの石油ワックス、鉱物ワックス、ウレタン型ワックス等を使用することが出来る。
【００２６】
特にウレタン型ワックスを添加剤として使用した場合、後述する比較結果にて詳述するが、他のワックスよりも優れた耐摩耗効果があることが確認された。
添加剤であるワックスの添加量は、０．１から１０ｗｔ％が適当であり、０．１ｗｔ％より少ない場合は、従来材料のランプよりも効果がなく、その添加量を１０ｗｔ％を超えて添加するとランプ７の機械強度が下がってしまう、すなわちやわらかくなりすぎてしまうため、効果が出ないことがわかった。
【００２７】
また、ポリアセタールとワックスの混合は、押出し機で混練し、ワックスが樹脂中に均一に分散するようにしてポリアセタールとワックスの混合物から、射出成形によりランプ７を成形するようにしている。
【００２８】
以下の本発明の実施形態において、以下の実施例１、２と比較例１、２との材料を用いてランプ７を作成し、このランプ７を磁気ディスク装置に組み込み、マイナス２０℃の温度環境下で、４０万回のロード／アンロード動作試験（磁気ヘッド４がランプ７上を摺動し、磁気ディスク上２に浮上する動作の往復運動）を行った。
【００２９】
実施例１、２及び比較例１、２において、それぞれ５台の磁気ディスク装置に搭載されるそれぞれ２本のヘッドについての摩耗分付着状況を後述の表１、表２にまとめている。
【００３０】
実施例１
ポリアセタール樹脂………１００重量部
顔料　ＴｉＯ２……………０．２重量部
ウレタン型ワックス……………２重量部
実施例２
ポリアセタール樹脂………１００重量部
顔料　ＴｉＯ２……………０．２重量部
ポリエチレンワックス…………３重量部
比較例１
ポリアセタール樹脂………１００重量部
顔料　ＴｉＯ２……………０．２重量部
比較例２
ポリアセタール樹脂………１００重量部
顔料　ＴｉＯ２……………０．２重量部
ポリテトラフルオロエチレン…５重量部
試験後にヘッドスライダーの浮上面及びサスペンション５ａの先端の接触部５ｃであるタブを顕微鏡で観察し、接触部５ｃへの摩耗粉の付着具合を調べた。
摩耗粉の付着の程度にしたがい、付着の少ない順にＬｅｖｅｌ０からＬｅｖｅｌ３の３つのレベルに分けた。すなわちレベルの数が多いほど摩耗粉が多い個をと示したいる。観察結果を以下に示す。
【００３１】
【表１】
2004079109.tif 000003
【００３２】
【表２】
2004079109.tif 000004
【００３３】
表１、２に示すように比較例１、２に比べ、実施例１、２のレベル数が小さい結果となった。特に、実施例１では、スライダーの浮上面で１０本のヘッド中、３本でＬｅｖｅｌ０となり、摩耗粉量が非常に少くなるという結果を得た。ワックスを添加しない場合や、ワックスではなくフッ素系の樹脂を添加した場合に比べ、ワックスを添加した場合サスペンション５ａの先端の接触部５ｃであるタブやスライダーの浮上面への摩耗粉の付着が明らかに少ないくなっている。
【００３４】
なお、本実施形態においてランプを形成する材料の主成分としてポリアセタール樹脂を例に取り説明したが、環境温度２５℃から８０℃において引っ張り伸びが３０％以上７０％以下である材料であれば、他の材料を選択することも可能である。例えば、ポリイミド樹脂も引張りに強く熱可塑性に優れランプの主材料として使用可能である。
【００３５】
【発明の効果】
以上詳述したように本発明によれば、ディスク装置に用いられるランプを形成する材料として、主成分としてＡＳＴＭ　Ｄ６３８による引張り伸びが３０％以上の材料、例えばポリアセタール樹脂を含み、添加剤としてワックス、特にウレタン型ワックスを含む用にすることで、マイナス２０℃以下の極低温下でもディスク装置内のランプの摩耗量を減らすことが可能となり、車載機器として信頼性の高いディスク装置及び磁気ディスク装置を提供することが可能となる。
【図面の簡単な説明】
【図１】本発明の実施形態に係る磁気ディスク装置の構造を説明する分解斜視図。
【図２】本発明の実施形態に係る磁気ディスク装置の磁気ヘッドのアンロード状態を説明する正面図。
【図３】本発明の実施形態に係る磁気ディスク装置の磁気ヘッドのロード状態を説明する正面図。
【符号の説明】
１………ケース
２………磁気ディスク
３………スピンドルモータ
４………磁気ヘッド
５………ヘッドアクチュエータ
５ａ……サスペンション
５ｂ……アーム
５ｃ……接触部（タブ）
６………ボイスコイルモータ
７………ランプ
８………イナーシャラッチ機構
９………基板ユニット
９ａ……ヘッドＩＣ
１０……フレキシブル配線
【図１】
2004079109.tif 000005
【図２】
2004079109.tif 000006
【図３】
2004079109.tif 000007